(57)【要約】【課題】エンジンの始動から、エンジンによる車両の発進に時間を要しないハイブリッド車両用駆動装置を提供する。【解決手段】ハイブリッド車両用駆動装置１００は、エンジン１のエンジン軸１ａに回転連結された第一スプロケット６１と、駆動輪１９Ｒ、１９Ｌと回転連結された第二部材７６と、第一部材７５に入力された回転トルクを増幅したうえで第一スプロケット６１に伝達する遊星歯車機構４０と、第一部材７５に入力された回転トルクの遊星歯車機構４０を介した第一スプロケット６１への伝達を許容する第一ワンウェイクラッチ３１と、第一スプロケット６１に入力された回転トルクを第一部材７５に伝達する第二ワンウェイクラッチ３２と、第一部材７５が主軸２１に回転連結された第一連結状態と、第二部材７６が主軸２１に回転連結された第二連結状態とのいずれかに切り換える切換機構５０と、を有する。【選択図】図１
2016168973.tif 000002
【特許請求の範囲】
【請求項１】
エンジントルクが入力されるエンジントルク入力部材と、
モータトルクを出力するとともに発電するモータジェネレータと、
前記エンジントルクが前記エンジントルク入力部材を介して入力される入力軸と、車両の駆動輪に回転連結された出力部材とを有し、前記入力軸の回転速度を前記出力部材の回転速度で除した減速比を可変に変更する変速機と、
前記モータジェネレータが前記エンジントルク入力部材に回転連結された第一連結状態と、前記モータジェネレータが前記駆動輪に回転連結された第二連結状態とのいずれかに切り換える切換機構と、を有するハイブリッド車両用駆動装置。
【請求項２】
前記モータジェネレータに回転連結された主軸と、
第一部材と、
前記駆動輪と回転連結された第二部材と、
前記エンジントルク入力部材に回転連結された第一連結部材と、
前記第一部材に入力された回転トルクを増幅したうえで前記第一連結部材に伝達する減速機構と、
前記第一部材に入力された回転トルクの前記減速機構を介した前記第一連結部材への伝達を許容するとともに、前記第一連結部材に入力された回転トルクの前記減速機構を介した前記第一部材への伝達を許容しない第一ワンウェイクラッチと、
前記第一連結部材に入力された回転トルクを前記第一部材に伝達するとともに、前記第一部材に入力された回転トルクを前記第一連結部材に伝達しない第二ワンウェイクラッチと、を有し、
前記第一連結状態は、前記第一部材が前記主軸に連結された状態であり、
前記第二連結状態は、前記第二部材が前記主軸に連結された状態である請求項１に記載のハイブリッド車両用駆動装置。
【請求項３】
前記切換機構は、前記第一連結状態及び前記第二連結状態以外に、前記第一部材及び前記第二部材のいずれもが前記主軸に連結されていないニュートラル状態に切り換える請求項２に記載のハイブリッド車両用駆動装置。
【請求項４】
前記第一連結部材、前記第一部材、及び前記第二部材は、前記主軸と同軸に設けられている請求項２又は請求項３に記載のハイブリッド車両用駆動装置。
【請求項５】
前記減速機構は、遊星歯車機構であり、
前記減速機構は、前記主軸と同軸に設けられている請求項２〜請求項４のいずれか一項に記載のハイブリッド車両用駆動装置。
【請求項６】
前記第一連結部材は、前記エンジントルク入力部材と並行に設けられ、
前記エンジントルク入力部材と同軸に設けられ、前記エンジントルク入力部材に回転連結された第二連結部材と、
前記第一連結部材と前記第二連結部材とを回転連結する伝達部材と、を有し、
前記第一連結部材は、前記伝達部材及び前記第二連結部材を介して、前記エンジントルク入力部材に回転連結されている請求項２〜請求項５のいずれか一項に記載のハイブリッド車両用駆動装置。
【請求項７】
前記変速機にオイルを供給するオイルポンプを有し、
前記オイルポンプは、前記主軸と同軸に設けられ、前記第一連結部材に連結されている請求項２〜請求項６のいずれか一項に記載のハイブリッド車両用駆動装置。
【発明の詳細な説明】
【技術分野】
【０００１】
本発明は、車輪がエンジンとモータジェネレータによって駆動されるハイブリッド車両用の駆動装置に関する。
【背景技術】
【０００２】
従来から、特許文献１に示されるように、車両の駆動輪が、エンジンが出力するエンジントルクと、モータジェネレータが出力するモータトルクによって駆動されるハイブリッド車両用の駆動装置がある。特許文献１に示される駆動装置は、エンジン、モータジェネレータ、クラッチ、オートメイテッド・マニュアルトランスミッション（以下、ＡＭＴと略す）、遊星歯車機構、第一ワンウェイクラッチ、及び第二ワンウェイクラッチを有している。クラッチは、エンジンとＡＭＴとの間に設けられている。遊星歯車機構は、モータジェネレータの回転軸に設けられている。第一ワンウェイクラッチは、遊星歯車機構とＡＭＴとの間に設けられ、遊星歯車機構を介して伝達されたモータトルクを、ＡＭＴに伝達することにより、エンジンに伝達する。第二ワンウェイクラッチは、モータジェネレータとＡＭＴとの間に設けられ、ＡＭＴを介して伝達されたエンジントルクを、モータジェネレータに伝達する。
【０００３】
このように構成された、駆動装置では、モータジェネレータの駆動時に、第一ワンウェイクラッチがロックして、モータジェネレータから出力されたモータトルクが遊星歯車機構によって増幅されてエンジンに伝達される。一方で、モータジェネレータでの発電時には、第二ワンウェイクラッチがロックして、エンジンから出力されたエンジントルクがモータジェネレータに伝達される。これにより、モータジェネレータの駆動時と発電時のそれぞれにおいて適した回転速度で、モータジェネレータが回転する。このため、モータジェネレータの効率の良い回転速度の領域で、モータジェネレータが稼働する。
【先行技術文献】
【特許文献】
【０００４】
【特許文献１】特開２００４−３４７２７号公報
【発明の概要】
【発明が解決しようとする課題】
【０００５】
特許文献１に示される駆動装置では、アイドリングストップによりエンジンが停止している状態で、車両がエンジンによって再発進する場合には、クラッチが接続、且つＡＭＴがニュートラルである状態で、モータジェネレータによってエンジンを始動させる。そして、エンジンの始動後に、クラッチを切断させて、ＡＭＴにおいて１速を形成させ、クラッチを接続させる。このため、エンジンの始動から、エンジンによる車両の再発進に時間を要する。
【０００６】
また、特許文献１に示される駆動装置では、モータジェネレータはＡＭＴを介して駆動輪に接続されている。このため、モータジェネレータの駆動時や発電時に、ＡＭＴ内のギヤが回転することよる機械的損失が発生する。
【０００７】
本発明は、上述した問題を解消するためになされたもので、エンジンの始動から、エンジンによる車両の発進に時間を要しないハイブリッド車両用駆動装置を提供する。
【課題を解決するための手段】
【０００８】
上記の課題を解決するため、請求項１に係るハイブリッド車両用駆動装置の発明は、エンジントルクが入力されるエンジントルク入力部材と、モータトルクを出力するとともに発電するモータジェネレータと、前記エンジントルクが前記エンジントルク入力部材を介して入力される入力軸と、車両の駆動輪に回転連結された出力部材とを有し、前記入力軸の回転速度を前記出力部材の回転速度で除した減速比を可変に変更する変速機と、前記モータジェネレータが前記エンジントルク入力部材に回転連結された第一連結状態と、前記モータジェネレータが前記駆動輪に回転連結された第二連結状態とのいずれかに切り換える切換機構と、を有する。
【０００９】
このように、変速機は、エンジントルクが入力される入力軸と、車両の駆動輪に回転連結された出力部材とを有する。そして、切換機構は、モータジェネレータがエンジントルク入力部材に回転連結された第一連結状態と、モータジェネレータが駆動輪に回転連結された第二連結状態とのいずれかに切り換える。これにより、エンジンの始動時に、切換機構によってモータジェネレータがエンジントルク入力部材に回転連結された第一連結状態にされることにより、モータジェネレータによってエンジンを始動させることができる。また、エンジンの始動後の車両の発進時には、エンジンが出力するエンジントルクは、変速機を介して駆動輪に伝達されるので、エンジンの始動から、エンジンによる車両の発進に時間を要しない。
【００１０】
また、切換機構によって第二連結状態にされると、モータジェネレータは、変速機を介さずに駆動輪に回転連結される。これにより、モータジェネレータが出力するモータトルクによって駆動輪を駆動する際や、モータジェネレータが駆動輪から伝達された回転トルクによって発電する際に、変速機内のギヤが回転することよる機械的損失の発生を防止することができる。
【図面の簡単な説明】
【００１１】
【図１】ハイブリッド車両用駆動装置の説明図である。
【図２】ハイブリッド車両用駆動装置の各モードにおいて、ハイブリッド車両用駆動装置を構成する各要素の作動状態を示す作動表である。
【図３】ハイブリッド車両用駆動装置がモード１（エンジン始動）となっている状態におけるモータトルクの伝達経路を示した図１に対応する図である。
【図４】ハイブリッド車両用駆動装置がモード２（回生制動）となっている状態における回転トルクの伝達経路を示した図１に対応する図である。
【図５】ハイブリッド車両用駆動装置がモード３（モータトルクで駆動輪を駆動）となっている状態におけるモータトルク及びエンジントルクの伝達経路を示した図１に対応する図である。
【図６】ハイブリッド車両用駆動装置がモード４（停車時発電）となっている状態におけるエンジントルクの伝達経路を示した図１に対応する図である。
【図７】ハイブリッド車両用駆動装置がモード５（走行発電）となっている状態におけるエンジントルクの伝達経路を示した図１に対応する図である。
【図８】ハイブリッド車両用駆動装置がモード６（エンジントルクのみで駆動輪を駆動）となっている状態におけるエンジントルクの伝達経路を示した図１に対応する図である。
【図９】ハイブリッド車両用駆動装置がモード７（モータトルクで出力軸側から駆動輪を駆動）となっている状態におけるモータトルク及びエンジントルクの伝達経路を示した図１に対応する図である。
【図１０】ハイブリッド車両用駆動装置がモード８（回生制動）となっている状態における回転トルクの伝達経路を示した図１に対応する図である。
【発明を実施するための形態】
【００１２】
（ハイブリッド車両用駆動装置の構成）
図１に基づき、本発明の実施形態によるハイブリッド車両用駆動装置１００（以下単に、駆動装置１００と略す）が搭載されたハイブリッド車両１０００（以下単に、車両１０００と略す）について説明する。図１に示すように、車両１０００は、駆動装置１００、デファレンシャル１７、ドライブシャフト１８、駆動輪１９Ｒ、１９Ｌを有している。駆動装置１００は、エンジン１、モータジェネレータ２、自動変速機３、トルクコンバータ４、インバータ５、バッテリ６、ロックアップコントロールバルブ７、制御部１０、主軸２１、出力軸２２、第一ワンウェイクラッチ３１、第二ワンウェイクラッチ３２、遊星歯車機構４０、切換機構５０、第一スプロケット６１、第二スプロケット６２、チェーン６３、第一接続部材６５、第二接続部材６６、第一ギヤ７１、第二ギヤ７２、第三ギヤ７３、第一部材７５、第二部材７６、オイルポンプ８０、及びハウジング９０を有している。なお、以下の説明において、入力軸３ａ、主軸２１、及び出力軸２２が設けられている方向を、駆動装置１００の軸線方向とする。
【００１３】
エンジン１は、エンジン軸１ａを備えている。エンジン１は、ガソリンや軽油等の炭化水素系燃料を使用し、エンジントルクＴｅをエンジン軸１ａに出力するガソリンエンジンやディーゼルエンジン等である。
【００１４】
自動変速機３は、入力軸３ａ、出力ギヤ３ｂ、複数の遊星歯車機構（不図示）、複数又は単一のＡＴクラッチ（不図示）、複数又は単一のＡＴブレーキ（不図示）を有している。入力軸３ａは、エンジン軸１ａと同軸に設けられている。入力軸３ａには、エンジン軸１ａ及びトルクコンバータ４を介して、エンジン１から出力されたエンジントルクＴｅが入力される。複数の遊星歯車機構は、入力軸３ａ及び出力ギヤ３ｂに回転連結されている。ＡＴクラッチは、複数の遊星歯車機構の各要素（サンギヤ、キャリア、リングギヤ）同士を係脱可能に接続するものである。ＡＴブレーキは、複数の遊星歯車機構の要素をハウジング９０に係脱可能に連結するものである。
【００１５】
複数又は単一のＡＴクラッチ及び複数又は単一のＡＴブレーキからなる摩擦係合要素のそれぞれが、係合状態又は解放状態に選択的に切り換えられることにより、複数の遊星歯車機構の動力伝達経路が切り換えられる。複数の遊星歯車機構の動力伝達経路の切換によって、自動変速機３において、入力軸３ａの回転速度を出力ギヤ３ｂの回転速度で除した減速比がそれぞれ異なる複数の変速段が形成される。このように、自動変速機３は、上記減速比を可変に変更するものである。各摩擦係合要素には、後述するオイルポンプ８０によって油圧が供給される。各摩擦係合要素とオイルポンプ８０の間には、オイルポンプ８０によって供給された油圧を各摩擦係合要素に供給するか供給しないかを切り換えることにより、各摩擦係合要素を係合状態又は解放状態に選択的に切り換えるソレノイドバルブ（電磁弁）（不図示）が設けられている。このソレノイドバルブは、制御部１０によって制御される。自動変速機３の構成については、特開２０１４−１９４２３７号公報や特開２０１４−１０１９２６号公報等に示されるように周知技術であるのでこれ以上の説明を省略する。
【００１６】
トルクコンバータ４は、エンジン１のエンジン軸１ａと自動変速機３の入力軸３ａの間に設けられている。トルクコンバータ４は、エンジン１からのエンジントルクＴｅを入力軸３ａに伝達するものである。トルクコンバータ４は、カバー４ａ、ポンプインペラ４ｂ、タービンランナ４ｃ、及びロックアップクラッチ４ｄを有している。
【００１７】
カバー４ａは、エンジン１のエンジン軸１ａに接続されている。カバー４ａの内部にはオイルが収容されている。ポンプインペラ４ｂ（エンジントルク入力部材）は、カバー４ａに接続されている。このような構成により、ポンプインペラ４ｂ（エンジントルク入力部材）は、カバー４ａを介してエンジン軸１ａに接続され、エンジン軸１ａと一体回転し、エンジントルクＴｅが入力される。タービンランナ４ｃは、ポンプインペラ４ｂと対向して配置されている。タービンランナ４ｃは、入力軸３ａに接続され、入力軸３ａと一体回転する。ポンプインペラ４ｂとタービンランナ４ｃの間には、上記オイルが満たされている。エンジン１が出力するエンジントルクＴｅによってポンプインペラ４ｂが回転すると、ポンプインペラ４ｂの回転によって発生するオイルの螺旋流により、エンジントルクＴｅが増幅されてタービンランナ４ｃに伝達される。
【００１８】
ロックアップクラッチ４ｄは、カバー４ａとタービンランナ４ｃとを直結又は切断することにより、エンジン軸１ａと入力軸３ａとが直結したロックアップ状態と、エンジン軸１ａと入力軸３ａとを切断して、エンジン軸１ａと入力軸３ａとの間に回転差が生じるトルクコンバータ状態とに切り換えるものである。ロックアップクラッチ４ｄは、ピストン４ｄ１、摩擦材４ｄ２、及びダンパー４ｄ３を備えている。
【００１９】
ピストン４ｄ１は、円板形状であり、タービンランナ４ｃに相対回転不能且つ軸線方向に沿って移動可能に取り付けられている。ピストン４ｄ１の外縁は、カバー４ａの内周壁面と密接又は近接している。ピストン４ｄ１は、カバー４ａの内部を液密に区画している。ピストン４ｄ１とカバー４ａのタービンランナ４ｃ側の内面との間には、液密な第一室４５が形成されている。ピストン４ｄ１とカバー４ａのエンジン軸１ａ側の内面との間には、液密な第二室４６が形成されている。摩擦材４ｄ２は、ピストン４ｄ１のエンジン軸１ａ側のカバー４ａの内壁面と対向する位置に設けられている。
【００２０】
第一室４５に油圧が供給されると、ピストン４ｄ１がエンジン軸１ａ側に移動して、摩擦材４ｄ２がカバー４ａのエンジン軸１ａ側の内壁面に押し付けられる。すると、カバー４ａとタービンランナ４ｃとが直結して、トルクコンバータ４がロックアップ状態となる。すると、エンジン軸１ａと入力軸３ａとが直結し、オイルによるトルク伝達に比べて、エンジン軸１ａと入力軸３ａ間におけるトルクの伝達ロスが低減される。
【００２１】
一方で、第二室４６に油圧が供給されると、ピストン４ｄ１がタービンランナ４ｃ側に移動し、摩擦材４ｄ２がカバー４ａのエンジン軸１ａ側の内壁面から離れ、カバー４ａとタービンランナ４ｃとの直結が解除され、トルクコンバータ４がトルクコンバータ状態となる。すると、エンジントルクＴｅが、ポンプインペラ４ｂとタービンランナ４ｃの間にあるオイルによって増幅されて、ポンプインペラ４ｂからタービンランナ４ｃに伝達される。
【００２２】
ピストン４ｄ１には、コイルスプリング等の弾性体で構成されたダンパー４ｄ３が設けられている。トルクコンバータ４がロックアップ状態となった場合に、ダンパー４ｄ３が変位（伸縮）することにより、エンジン１から入力軸３ａに入力されるエンジントルクＴｅのトルク変動が吸収される。
【００２３】
ロックアップコントロールバルブ７には、後述するオイルポンプ８０からオイルが供給される。そして、ロックアップコントロールバルブ７は、制御部１０からの制御信号によって、供給されたオイルによる油圧を第一室４５及び第二室４６のいずれかに供給することにより、トルクコンバータ４をトルクコンバータ状態又はロックアップ状態にする。
【００２４】
第一接続部材６５は、円筒形状である。第一接続部材６５には、入力軸３ａが挿通している。第一接続部材６５は、入力軸３ａと同軸に、入力軸３ａに対して相対回転可能に、入力軸３ａに設けられている。第二スプロケット６２（第二連結部材）は、第一接続部材６５によって、ポンプインペラ４ｂに接続されている。このような構造によって、第二スプロケット６２（第二連結部材）は、エンジン軸１ａ、ポンプインペラ４ｂ（エンジントルク入力部材）、及び入力軸３ａと同軸に設けられている。また、第二スプロケット６２（第二連結部材）は、第一接続部材６５を介してポンプインペラ４ｂ（エンジントルク入力部材）に回転連結され、ポンプインペラ４ｂ及びカバー４ａを介して、エンジン１のエンジン軸１ａに回転連結されている。
【００２５】
主軸２１及び出力軸２２は、入力軸３ａと並列に設けられている。出力軸２２には、第一ギヤ７１及び第二ギヤ７２が固定されている。第一ギヤ７１のピッチ円直径は、第二ギヤ７２のピッチ円直径よりも大きくなっている。第一ギヤ７１は、自動変速機３の出力ギヤ３ｂと噛合している。第二ギヤ７２は、デファレンシャル１７のリングギヤ１７ａと噛合している。デファレンシャル１７は、ドライブシャフト１８を介して、駆動輪１９Ｒ、１９Ｌと連結している。デファレンシャル１７は、駆動輪１９Ｒ、１９Ｌの回転速度差を吸収するものである。
【００２６】
モータジェネレータ２は、駆動輪１９Ｒ、１９Ｌに回転駆動力を付与するモータとして作動するとともに、車両１０００の運動エネルギーを電力に変換する発電機としても作動するものである。モータジェネレータ２は、エンジン１及び自動変速機３と並列に設けられている。モータジェネレータ２は、ステータ２ａとロータ２ｂを有している。ステータ２ａは、駆動装置１００のハウジング９０に固定されている。モータジェネレータ２のロータ２ｂは、ステータ２ａの内周側に回転可能に設けられ、主軸２１に連結（回転連結）している。
【００２７】
インバータ５は、ステータ２ａ及びバッテリ６と電気的に接続している。また、インバータ５は、制御部１０と通信可能に接続している。インバータ５は、制御部１０からの制御信号に基づいて、バッテリ６から供給される直流電流を、昇圧するとともに交流電流に変換したうえでステータ２ａに供給する。このようにして、インバータ５は、モータジェネレータ２でモータトルクＴｍを出力させ、モータジェネレータ２をモータとして機能させる。また、インバータ５は、制御部１０からの制御信号に基づいて、モータジェネレータ２を発電機として機能させる。そして、インバータ５は、モータジェネレータ２で発電された交流電流を、直流電流に変換するとともに、電圧を降下させて、バッテリ６を充電する。
【００２８】
第一部材７５は、円筒形状である。第一部材７５には、主軸２１が挿通している。このような構造によって、第一部材７５は、主軸２１と同軸に、主軸２１の外周側に、主軸２１に相対回転可能に設けられている。第一スプロケット６１（第一連結部材）は、第一部材７５と同軸に、第一部材７５の外周側に設けられている。このようにして、第一スプロケット６１は、ポンプインペラ４ｂ（エンジントルク入力部材）やエンジン軸１ａと並行に（異軸に）設けられている。第一スプロケット６１と第二スプロケット６２とは、チェーン６３（伝達部材）によって、回転連結されている。このような構造によって、エンジン軸１ａやポンプインペラ４ｂ（エンジントルク入力部材）と第一スプロケット６１とは、第一接続部材６５、第二スプロケット６２、及びチェーン６３を介して、互いに回転連結されている。第一スプロケット６１は、第二接続部材６６によって後述のキャリア４３に接続されている。このような構造によって、エンジン軸１ａとキャリア４３は、互いに回転連結されている。
【００２９】
遊星歯車機構４０は、主軸２１と同軸に、主軸２１の外周側に設けられている。遊星歯車機構４０は、シングルピニオン式であり、サンギヤ４１、複数のプラネタリギヤ４２、キャリア４３、及びリングギヤ４４とから構成されている。サンギヤ４１は、第一部材７５に連結されて、第一部材７５と一体回転する。プラネタリギヤ４２は、サンギヤ４１の周囲に複数配設され、サンギヤ４１と噛合している。キャリア４３は、複数のプラネタリギヤ４２を回転可能（自転可能）に軸支している。リングギヤ４４は、リング状であり、複数のプラネタリギヤ４２の外周側に設けられ、複数のプラネタリギヤ４２と噛合している。
【００３０】
第一ワンウェイクラッチ３１は、リングギヤ４４の外周側に設けられ、ハウジング９０に固定されている。第一ワンウェイクラッチ３１は、モータジェネレータ２から出力されたモータトルクＴｍ（回転トルク）が、サンギヤ４１に入力されるとロック状態となり、リングギヤ４４がサンギヤ４１に入力されたモータトルクＴｍの反力を受ける。すると、サンギヤ４１の回転が、遊星歯車機構４０によって減速されてキャリア４３から第一スプロケット６１に伝達される。つまり、サンギヤ４１に入力されたモータトルクＴｍ（回転トルク）が、遊星歯車機構４０によって増幅されてキャリア４３から第一スプロケット６１に伝達される。このように、第一ワンウェイクラッチ３１は、サンギヤ４１（第一部材７５）に入力されたモータトルクＴｍ（回転トルク）の遊星歯車機構４０を介した第一スプロケット６１への伝達を許容する。
【００３１】
一方で、第一ワンウェイクラッチ３１は、エンジン１から出力されたエンジントルクＴｅがキャリア４３に入力されるとフリー状態となり、リングギヤ４４がキャリア４３に入力されたエンジントルクＴｅの反力を受けない。このため、キャリア４３に入力されたエンジントルクＴｅは、サンギヤ４１に伝達されない。このように、第一ワンウェイクラッチ３１は、キャリア４３（第一スプロケット６１）に入力されたエンジントルクＴｅ（回転トルク）の遊星歯車機構４０を介したサンギヤ４１（第一部材７５）への伝達を許容しない。
【００３２】
第二ワンウェイクラッチ３２は、第一部材７５及び第一スプロケット６１と同軸に、第一部材７５と第一スプロケット６１の間に設けられている。第二ワンウェイクラッチ３２は、エンジン１から出力されたエンジントルクＴｅ（回転トルク）が第一スプロケット６１に入力されると、ロック状態となり、当該エンジントルクＴｅを第一スプロケット６１から第一部材７５に伝達する。一方で、第二ワンウェイクラッチ３２は、モータジェネレータ２から出力されたモータトルクＴｍ（回転トルク）が第一部材７５に入力されると、フリー状態となり、当該モータトルクＴｍ（回転トルク）を第一部材７５から第一スプロケット６１に伝達しない。
【００３３】
第二部材７６は、円筒形状である。第二部材７６には、主軸２１が挿通している。このような構造によって、第二部材７６は、主軸２１と同軸に、主軸２１の外周側に、主軸２１に相対回転可能に設けられている。第三ギヤ７３は、第二部材７６に固定されている。つまり、第三ギヤ７３は、主軸２１と相対回転可能に設けられている。第三ギヤ７３は、第一ギヤ７１と噛合している。このような構成によって、第二部材７６は、出力ギヤ３ｂ及び駆動輪１９Ｒ、１９Ｌに回転連結されている。
【００３４】
切換機構５０は、ハブ５１、第一係合部材５２、第二係合部材５３、スリーブ５４、フォーク５５、及び切換アクチュエータ５６を有している。ハブ５１は、第一部材７５と第二部材７６の間において、主軸２１に固定されている。第一係合部材５２は、ハブ５１と対向して、第一部材７５に連結されている。第二係合部材５３は、ハブ５１と対向して、第二部材７６に連結されている。
【００３５】
スリーブ５４は、ハブ５１に対して相対回転不能、主軸２１の軸線方向に沿って移動可能にハブ５１の外周側に設けられている。スリーブ５４は、主軸２１の軸線方向に沿った位置によって、第一係合部材５２又は第二係合部材５３と係合し、第一係合部材５２及び第二係合部材５３と係合しない。フォーク５５は、スリーブ５４に係合している。
【００３６】
切換アクチュエータ５６は、制御部１０からの制御信号によって、フォーク５５を介して、スリーブ５４を主軸２１の軸線方向に沿って移動せる。図１に示すように、スリーブ５４が第一係合部材５２と第二係合部材５３との間に位置し、スリーブ５４が第一係合部材５２及び第二係合部材５３のいずれにも係合していないニュートラル状態（図１及び図２においてＮと表す）では、第一部材７５及び第二部材７６のいずれもが、主軸２１に回転連結されていない。スリーブ５４が切換アクチュエータ５６によって第一係合部材５２側に移動され、スリーブ５４が第一係合部材５２と係合すると、第一部材７５が主軸２１に回転不能に連結された第一連結状態となる（図１及び図２においてＳ１と表す）。この第一連結状態では、後述するように、モータジェネレータ２は、ポンプインペラ４ｂ（エンジントルク入力部材）やエンジン軸１ａに回転連結されている。スリーブ５４が切換アクチュエータ５６によって第二係合部材５３側に移動されて、スリーブ５４が第二係合部材５３と係合すると、第二部材７６が主軸２１に回転不能に連結された第二連結状態（図１及び図２においてＳ２と表す）となる。この第二連結状態では、後述するように、モータジェネレータ２は、駆動輪１９Ｒ、１９Ｌに回転連結されている。
【００３７】
オイルポンプ８０は、主軸２１と同軸に設けられている。オイルポンプ８０は、ロックアップコントロールバルブ７にオイル（油圧）を供給して、ロックアップコントロールバルブ７を介して、トルクコンバータ４の第一室４５及び第二室４６にオイル（油圧）を供給する。また、オイルポンプ８０は、自動変速機３の各摩擦係合要素に、各ソレノイドバルブを介して、オイル（油圧）を供給する。本実施形態では、オイルポンプ８０は、ケーシング８１、アウターロータ８２、及びインナーロータ８３とから構成されたトロコイドポンプである。
【００３８】
ケーシング８１は、内部に扁平な円筒形状の空間が形成され、この空間内に連通する吸入口８１ａ及び吐出口８１ｂが形成されている。ケーシング８１は、主軸２１と同軸に設けられている。ケーシング８１は、ハウジング９０に取り付けられている。吸入口８１ａは、オイルが貯留されたオイル貯留部９５に接続している。本実施形態では、オイル貯留部９５は、ハウジング９０に形成されている。吐出口８１ｂは、ロックアップコントロールバルブ７、及び自動変速機３の各摩擦係合要素に接続している。
【００３９】
アウターロータ８２は、ケーシング８１の空間内に、ケーシング８１に対して回転可能に設けられている。アウターロータ８２は、リング形状であり、その内周面にトロコイド曲線で形成され内歯が形成されている。
【００４０】
インナーロータ８３は、主軸２１と同軸に、アウターロータ８２の内歯の内側に設けられている。インナーロータ８３の外周面には、アウターロータ８２の内歯と噛合するトロコイド曲線で形成された外歯が形成されている。インナーロータ８３は、キャリア４３に連結されて、キャリア４３と一体回転する。つまり、インナーロータ８３は、キャリア４３を介して、第一スプロケット６１と連結され、第一スプロケット６１と一体回転する。
【００４１】
第一スプロケット６１（キャリア４３）の回転に伴って、インナーロータ８３が回転し、インナーロータ８３の外歯とアウターロータ８２の内歯との間の空間が吸入口８１ａから吐出口８１ｂ側に順次移動し、吸入口８１ａから吸入されたオイルが吐出口８１ｂから吐出される。そして、吐出口８１ｂから吐出されたオイルが、ロックアップコントロールバルブ７を介してトルクコンバータ４の第一室４５及び第二室４６や、自動変速機３の各摩擦係合要素に供給される。なお、トルクコンバータ４の第一室４５及び第二室４６や、自動変速機３の各摩擦係合要素に供給されたオイルは、その後、オイル貯留部９５に戻る。
【００４２】
上述したように、エンジン１のエンジン軸１ａとキャリア４３は、互いに回転連結されている。このため、インナーロータ８３は、エンジン１のエンジン軸１ａに回転連結されている。よって、エンジン１のエンジン軸１ａが回転すると、インナーロータ８３が回転して、上述したように、吸入口８１ａから吸入されたオイルが吐出口８１ｂから吐出される。
【００４３】
制御部１０は、駆動装置１００を統括制御するものである。制御部１０は、エンジン１を制御して、エンジン１が出力するエンジントルクＴｅの大きさを制御する。また、制御部１０は、インバータ５を制御することによって、モータジェネレータ２をモータとして機能させ、モータジェネレータ２が出力するモータトルクＴｍの大きさを制御する。また、制御部１０は、インバータ５を制御することによって、モータジェネレータ２を発電機として機能させ、モータジェネレータ２における発電量を制御し、車両１０００に付与される回生制動力の大きさを制御する。
【００４４】
制御部１０は、ロックアップコントロールバルブ７を制御して、オイルポンプ８０から供給されたオイル（油圧）を、トルクコンバータ４の第一室４５又は第二室４６に供給することにより、トルクコンバータ４をロックアップ状態又はトルクコンバータ状態のいずれかにする。
【００４５】
制御部１０は、自動変速機３に設けられたソレノイドバルブを制御することにより、オイルポンプ８０から吐出されたオイルを各摩擦係合要素に供給させ又は供給させないことにより、自動変速機３において変速段を形成する。なお、制御部１０は、車両１０００の車速及び運転者によるアクセル（不図示）の操作量であるアクセル開度に基づいて、自動変速機３において形成される変速段を決定する。また、制御部１０は、自動変速機３に設けられたソレノイドバルブを制御することにより、オイルポンプ８０から吐出されたオイルを各摩擦係合要素に供給させないことにより、自動変速機３において変速段が形成されていないニュートラル状態にする。
【００４６】
制御部１０は、切換アクチュエータ５６を制御することによって、第一部材７５又は第二部材７６のいずれかを主軸２１に回転連結し、或いは、第一部材７５及び第二部材７６が主軸２１と回転連結していない状態にする。
【００４７】
（ハイブリッド車両用駆動装置の動作）
以下に、図２〜図１０を用いて、駆動装置１００の各モードにおける、駆動装置１００の作動状態について説明する。なお、図２は、駆動装置１００の各モードにおいて、駆動装置１００を構成する各要素の状態を示している。図２のエンジン１の欄において、被動とは、エンジン軸１ａに入力された回転トルクによって、エンジン１が回転されている状態である。
【００４８】
［モード１］
以下に図３を用いて、モード１について説明する。モード１は、モータジェネレータ２が出力するモータトルクＴｍによって、エンジン１を始動させるモードである。制御部１０は、切換アクチュエータ５６に制御信号を出力することにより、第一部材７５が主軸２１に回転不能に連結された第一連結状態にする。制御部１０は、自動変速機３の各ソレノイドバルブに制御信号を出力することにより、自動変速機３をニュートラル状態にする。これにより、モータジェネレータ２から出力されたモータトルクＴｍがポンプインペラ４ｂに入力されて、タービンランナ４ｃが回転して、入力軸３ａが回転したとしても、車両１０００が発進しない。
【００４９】
制御部１０は、インバータ５に制御信号を出力することにより、モータジェネレータ２を駆動させて、モータジェネレータ２にモータトルクＴｍを出力させる。すると、モータジェネレータ２から主軸２１に入力されたモータトルクＴｍが、ハブ５１、スリーブ５４、第一係合部材５２、及び第一部材７５を介して、サンギヤ４１に入力され、サンギヤ４１が回転する。すると、第一ワンウェイクラッチ３１がロック状態となり、サンギヤ４１の回転が減速されてキャリア４３に伝達されることにより、サンギヤ４１に入力されたモータトルクＴｍが増幅されてキャリア４３に入力される。なお、第二ワンウェイクラッチ３２は、フリー状態である。
【００５０】
キャリア４３に入力されたモータトルクＴｍは、第一スプロケット６１、チェーン６３、第二スプロケット６２、第一接続部材６５、ポンプインペラ４ｂ、及びカバー４ａを介して、エンジン軸１ａに入力される。そして、モータトルクＴｍによってエンジン軸１ａが回転されて、エンジン１が始動する。
【００５１】
このように、第一連結状態では、モータジェネレータ２は、主軸２１、ハブ５１、スリーブ５４、第一係合部材５２、第一部材７５、遊星歯車機構４０、第一スプロケット６１、チェーン６３、第二スプロケット６２、及び第一接続部材６５を介してポンプインペラ４ｂ（エンジントルク入力部材）に回転連結され、ポンプインペラ４ｂ及びカバー４ａを介して、エンジン軸１ａに回転連結されている。
【００５２】
なお、モータトルクＴｍによって、キャリア４３が回転して、インナーロータ８３が回転するので、オイルポンプ８０はオイルを吐出する。これにより、オイルポンプ８０によって吐出されたオイルが、自動変速機３の各ソレノイドバルブやロックアップコントロールバルブ７に供給される。このため、エンジン１の始動後において、自動変速機３における変速段の形成に遅延が生じ無く、トルクコンバータ４がトルクコンバータ状態又はロックアップ状態にされるのに遅延が生じ無い。
【００５３】
［モード２］
以下に図４を用いて、モード２について説明する。モード２は、車両１０００が走行中である状態において、駆動輪１９Ｒ、１９Ｌの回転を、自動変速機３を介して、モータジェネレータ２に伝達させることによって、モータジェネレータ２で発電させて、車両１０００に回生制動力を付与させるモードである。制御部１０は、切換アクチュエータ５６に制御信号を出力することにより、第一部材７５が主軸２１に回転不能に連結された第一連結状態にする。そして、制御部１０は、自動変速機３の各ソレノイドバルブに制御信号を出力することにより、自動変速機３で変速段を形成する。また、制御部１０は、ロックアップコントロールバルブ７に制御信号を出力することにより、トルクコンバータ４をロックアップ状態にする。すると、駆動輪１９Ｌ、１９Ｒからの回転トルクが、デファレンシャル１７、第二ギヤ７２、出力軸２２、第一ギヤ７１、出力ギヤ３ｂ、自動変速機３内の遊星歯車機構、及び入力軸３ａを介して、タービンランナ４ｃに伝達される。トルクコンバータ４はロックアップ状態となっているので、タービンランナ４ｃに伝達された回転トルクは、ポンプインペラ４ｂに伝達される。
【００５４】
ポンプインペラ４ｂに伝達された回転トルクは、第一接続部材６５、第二スプロケット６２、チェーン６３を介して、第一スプロケット６１に伝達される。すると、第二ワンウェイクラッチ３２がロック状態となり、第一スプロケット６１に伝達された回転トルクは、第一部材７５に伝達される。第一部材７５に伝達された回転トルクは、第一係合部材５２、スリーブ５４、ハブ５１、及び主軸２１を介して、モータジェネレータ２のロータ２ｂに伝達される。なお、第一ワンウェイクラッチ３１は、フリー状態である。
【００５５】
制御部１０は、インバータ５を制御することによって、モータジェネレータ２を発電機として機能させ、モータジェネレータ２で発電させて、モータジェネレータ２において回生制動力を発生させる。
【００５６】
なお、このモード２では、駆動輪１９Ｌ、１９Ｒから伝達された回転トルクが、エンジン軸１ａにも伝達されるので、エンジン１においてエンジンブレーキが発生し、車両１０００に、エンジンブレーキによる制動力が付与される。このモード２は、より大きな制動力を車両１０００に付与させる必要がある場合や、バッテリ６が満充電に近く、モータジェネレータ２において大きな発電量を発電させることが困難な場合に有効である。
【００５７】
［モード３］
以下に図５を用いて、モード３について説明する。モード３は、モータジェネレータ２が出力するモータトルクＴｍを自動変速機３に入力させて、モータトルクＴｍで駆動輪１９Ｒ、１９Ｌを駆動させるモードである。モード３は、車両１０００がモータトルクＴｍのみで走行する電動走行モード、車両１０００がモータトルクＴｍ及びエンジントルクＴｅの両方で走行するハイブリッドモードの両方に適用可能である。以下の説明においては、ハイブリッドモードについて、モード３を説明する。
【００５８】
制御部１０は、切換アクチュエータ５６に制御信号を出力することにより、第一部材７５が主軸２１に回転不能に連結された第一連結状態にする。また、制御部１０は、自動変速機３の各ソレノイドバルブに制御信号を出力することにより、自動変速機３で変速段を形成する。また、制御部１０は、ロックアップコントロールバルブ７に制御信号を出力することにより、トルクコンバータ４をトルクコンバータ状態又はロックアップ状態にする。また、制御部１０は、インバータ５を制御することによって、モータジェネレータ２をモータとして機能させ、モータジェネレータ２においてモータトルクＴｍを出力させる。すると、モード１と同様に、モータジェネレータ２から出力されたモータトルクＴｍが、遊星歯車機構４０で増幅されて、ポンプインペラ４ｂ及びカバー４ａに伝達される。
【００５９】
制御部１０は、エンジン１に制御信号を出力することにより、エンジン１においてエンジントルクＴｅを出力させる。すると、エンジン１から出力されたエンジントルクＴｅが、エンジン軸１ａを介して、カバー４ａ及びポンプインペラ４ｂに伝達される。
【００６０】
トルクコンバータ４がトルクコンバータ状態である場合には、ポンプインペラ４ｂに伝達されたモータトルクＴｍ及びエンジントルクＴｅは、ポンプインペラ４ｂとタービンランナ４ｃとの間にあるオイルによって、タービンランナ４ｃに伝達される。トルクコンバータ４がロックアップ状態である場合には、カバー４ａに伝達されたモータトルクＴｍ及びエンジントルクＴｅは、ロックアップクラッチ４ｄによって、タービンランナ４ｃに伝達される。タービンランナ４ｃに伝達されたモータトルクＴｍ及びエンジントルクＴｅは、入力軸３ａを介して、自動変速機３に入力される。そして、自動変速機３に入力されたモータトルクＴｍ及びエンジントルクＴｅは、出力ギヤ３ｂ、第一ギヤ７１、出力軸２２、第二ギヤ７２、デファレンシャル１７、及びドライブシャフト１８を介して、駆動輪１９Ｒ、１９Ｌに伝達されて、駆動輪１９Ｒ、１９Ｌが駆動される。
【００６１】
上記したモード１でモータジェネレータ２によってエンジン１が始動された後に、モード３で車両１０００が発進する場合には、ニュートラル状態にある自動変速機３において変速段が形成される。本実施形態では、自動変速機３の摩擦係合要素に油圧が供給されることによって、自動変速機３において変速段が形成されるので、自動変速機３がＡＭＴである場合と比較して、自動変速機３の変速段の形成に時間を要さない。このため、エンジン１の始動後に、車両１０００は速やかに発進できる。
【００６２】
なお、モード３において、電動走行モードで走行する場合には、制御部１０は、トルクコンバータ４をトルクコンバータ状態にして、エンジン１を停止させる。
【００６３】
［モード４］
以下に図６を用いて、モード４について説明する。モード４は、車両１０００の停車時において、エンジン１が出力するエンジントルクＴｅで、モータジェネレータ２を回転させて、モータジェネレータ２で発電させるモードである。モード４は、車両１０００の停車時において、バッテリ６の充電量が不足している場合に実行される。
【００６４】
制御部１０は、切換アクチュエータ５６に制御信号を出力することにより、第一部材７５が主軸２１に回転不能に連結された第一連結状態にする。制御部１０は、自動変速機３の各ソレノイドバルブに制御信号を出力することにより、自動変速機３をニュートラル状態にする。これにより、エンジン１から出力されたエンジントルクＴｅがポンプインペラ４ｂに入力されて、タービンランナ４ｃが回転して、入力軸３ａが回転したとしても、車両１０００が発進しない。
【００６５】
制御部１０は、エンジン１に制御信号を出力することにより、エンジン１においてエンジントルクＴｅを出力させる。すると、エンジン１から出力されたエンジントルクＴｅが、エンジン軸１ａ、カバー４ａ、ポンプインペラ４ｂ、第一接続部材６５、第二スプロケット６２、及びチェーン６３を介して、第一スプロケット６１に伝達される。すると、第二ワンウェイクラッチ３２がロック状態となり、第一スプロケット６１に伝達されたエンジントルクＴｅは、第一部材７５に伝達される。第一部材７５に伝達されたエンジントルクＴｅは、第一係合部材５２、スリーブ５４、ハブ５１、及び主軸２１を介して、モータジェネレータ２のロータ２ｂに伝達され、ロータ２ｂが回転する。
【００６６】
制御部１０は、インバータ５を制御することによって、モータジェネレータ２を発電機として機能させ、モータジェネレータ２で発電させる。
【００６７】
［モード５］
以下に図７を用いて、モード５について説明する。モード５は、車両１０００がエンジントルクＴｅで走行している状態において、エンジントルクＴｅでモータジェネレータ２を回転させて、モータジェネレータ２で発電させるモードである。制御部１０は、切換アクチュエータ５６に制御信号を出力することにより、第一部材７５が主軸２１に回転不能に連結された第一連結状態にする。制御部１０は、自動変速機３の各ソレノイドバルブに制御信号を出力することにより、自動変速機３において変速段を形成させる。また、制御部１０は、ロックアップコントロールバルブ７に制御信号を出力することにより、トルクコンバータ４をトルクコンバータ状態又はロックアップ状態にする。
【００６８】
制御部１０は、エンジン１に制御信号を出力することにより、エンジン１においてエンジントルクＴｅを出力させる。すると、エンジン１から出力されたエンジントルクＴｅが、エンジン軸１ａを介して、カバー４ａ及びポンプインペラ４ｂに伝達される。ポンプインペラ４ｂに伝達されたエンジントルクＴｅは、第一接続部材６５、第二スプロケット６２、及びチェーン６３を介して、第一スプロケット６１に伝達される。すると、第二ワンウェイクラッチ３２がロック状態となり、第一スプロケット６１に伝達されたエンジントルクＴｅは、第一部材７５に伝達される。第一部材７５に伝達されたエンジントルクＴｅは、第一係合部材５２、スリーブ５４、ハブ５１、及び主軸２１を介して、モータジェネレータ２のロータ２ｂに伝達され、ロータ２ｂが回転する。
【００６９】
制御部１０は、インバータ５を制御することによって、モータジェネレータ２を発電機として機能させ、モータジェネレータ２で発電させる。
【００７０】
トルクコンバータ４がトルクコンバータ状態である場合には、ポンプインペラ４ｂに伝達されたエンジントルクＴｅは、ポンプインペラ４ｂとタービンランナ４ｃとの間にあるオイルによって、ポンプインペラ４ｂからタービンランナ４ｃに伝達される。トルクコンバータ４がロックアップ状態である場合には、カバー４ａに伝達されたエンジントルクＴｅは、ロックアップクラッチ４ｄによって、タービンランナ４ｃに伝達される。そして、タービンランナ４ｃに伝達されたエンジントルクＴｅは、入力軸３ａを介して、自動変速機３に入力される。そして、自動変速機３に入力されたエンジントルクＴｅが、出力ギヤ３ｂ、第一ギヤ７１、出力軸２２、第二ギヤ７２、デファレンシャル１７、及びドライブシャフト１８を介して、駆動輪１９Ｒ、１９Ｌに伝達されて、駆動輪１９Ｒ、１９Ｌが駆動される。
【００７１】
［モード６］
以下に図８を用いて、モード６について説明する。モード６は、車両１０００が高速（例えば８０ｋｍ／ｈ以上）で走行する場合に、エンジントルクＴｅのみで駆動輪１９Ｒ、１９Ｌを駆動するモードである。モード６では、モータジェネレータ２のロータ２ｂは、駆動輪１９Ｒ、１９Ｌ、エンジン１、及び自動変速機３から切り離される。
【００７２】
制御部１０は、自動変速機３の各ソレノイドバルブに制御信号を出力することにより、自動変速機３において変速段を形成させる。また、制御部１０は、ロックアップコントロールバルブ７に制御信号を出力することにより、トルクコンバータ４をロックアップ状態又はトルクコンバータ状態にする。
【００７３】
制御部１０は、エンジン１に制御信号を出力することにより、エンジン１においてエンジントルクＴｅを出力させる。すると、モード５と同様に、エンジン１から出力されたエンジントルクＴｅは、入力軸３ａに伝達されて、自動変速機３に入力される。そして、自動変速機３に入力されたエンジントルクＴｅは、出力ギヤ３ｂ、第一ギヤ７１、出力軸２２、第二ギヤ７２、デファレンシャル１７、及びドライブシャフト１８を介して、駆動輪１９Ｒ、１９Ｌに伝達されて、駆動輪１９Ｒ、１９Ｌが駆動される。
【００７４】
制御部１０は、切換アクチュエータ５６に制御信号を出力することにより、スリーブ５４が第一係合部材５２及び第二係合部材５３のいずれにも係合していないニュートラル状態にする。これにより、モータジェネレータ２のロータ２ｂが、駆動輪１９Ｒ、１９Ｌ、エンジン１、及び自動変速機３から切り離される。このため、車両１０００が高速で走行される場合に、モータジェネレータ２のロータ２ｂが速い回転速度で回転されることに起因するモータジェネレータ２の機械損、鉄損、及びコギングトルクによる損失の発生が防止される。よって、車両１０００の燃費が向上する。
【００７５】
上述したように、オイルポンプ８０のインナーロータ８３は、エンジン１のエンジン軸１ａに回転連結されている。このため、エンジン１のエンジン軸１ａの回転によって、インナーロータ８３が回転して、オイルポンプ８０からロックアップコントロールバルブ７及び自動変速機３のソレノイドバルブにオイルが供給される。
【００７６】
［モード７］
以下に図９を用いて、モード７について説明する。モード７は、モータジェネレータ２が出力するモータトルクＴｍで、駆動輪１９Ｒ、１９Ｌを駆動するモードである。モード７では、モータジェネレータ２が出力するモータトルクＴｍは、自動変速機３を介さずに、直接に出力軸２２を介して、駆動輪１９Ｒ、１９Ｌに伝達される。モード７は、車両１０００がモータトルクＴｍのみで走行する電動走行モード、車両１０００がモータトルクＴｍ及びエンジントルクＴｅの両方で走行するハイブリッドモードの両方に適用可能である。以下の説明においては、ハイブリッドモードについて、モード７を説明する。
【００７７】
制御部１０は、切換アクチュエータ５６に制御信号を出力することにより、スリーブ５４が第二係合部材５３と係合し、第三ギヤ７３が主軸２１に回転不能に連結された第二連結状態にする。制御部１０は、インバータ５を制御することによって、モータジェネレータ２をモータとして機能させ、モータジェネレータ２においてモータトルクＴｍを出力させる。これにより、モータジェネレータ２から出力されたモータトルクＴｍは、主軸２１、ハブ５１、スリーブ５４、第二係合部材５３、第三ギヤ７３、第一ギヤ７１、出力軸２２、第二ギヤ７２、デファレンシャル１７、ドライブシャフト１８を介して、駆動輪１９Ｒ、１９Ｌに伝達され、駆動輪１９Ｒ、１９Ｌが駆動される。
【００７８】
このように、第二連結状態では、モータジェネレータ２は、主軸２１、ハブ５１、スリーブ５４、第二係合部材５３、第三ギヤ７３、第一ギヤ７１、出力軸２２、第二ギヤ７２、デファレンシャル１７、ドライブシャフト１８を介して、駆動輪１９Ｒ、１９Ｌに回転連結されている。
【００７９】
制御部１０は、自動変速機３の各ソレノイドバルブに制御信号を出力することにより、自動変速機３において変速段を形成させる。また、制御部１０は、ロックアップコントロールバルブ７に制御信号を出力することにより、トルクコンバータ４をロックアップ状態又はトルクコンバータ状態にする。
【００８０】
制御部１０は、エンジン１に制御信号を出力することにより、エンジン１においてエンジントルクＴｅを出力させる。すると、モード５と同様に、エンジン１から出力されたエンジントルクＴｅは、入力軸３ａに伝達されて、自動変速機３に入力される。そして、自動変速機３に入力されたエンジントルクＴｅは、出力ギヤ３ｂ、第一ギヤ７１、出力軸２２、第二ギヤ７２、デファレンシャル１７、及びドライブシャフト１８を介して、駆動輪１９Ｒ、１９Ｌに伝達されて、駆動輪１９Ｒ、１９Ｌが駆動される。
【００８１】
車両１０００が電動走行モードで走行する場合には、制御部１０は、エンジン１に制御信号を出力することにより、エンジン１を停止させる。これにより、エンジン１における燃料の消費が停止される。また、制御部１０は、自動変速機３の各ソレノイドバルブに制御信号を出力することにより、自動変速機３をニュートラル状態とする。これにより、車両１０００の走行に伴い、自動変速機３内の各要素が回転されることに起因する機械的損失の発生や、トルクコンバータ４内においてオイルが撹拌されることに起因する機械的損失の発生や、エンジン１が回転されることによるフリクションロスの発生が防止される。
【００８２】
［モード８］
以下に図１０を用いて、モード８について説明する。モード８は、車両１０００が走行中である状態において、駆動輪１９Ｒ、１９Ｌの回転を、モータジェネレータ２に伝達させることによって、モータジェネレータ２で発電させて、車両１０００に回生制動力を付与させるモードである。
【００８３】
制御部１０は、切換アクチュエータ５６に制御信号を出力することにより、スリーブ５４が第二係合部材５３と係合し、第三ギヤ７３が主軸２１に回転不能に連結された第二連結状態にする。すると、駆動輪１９Ｌ、１９Ｒからの回転トルクが、デファレンシャル１７、第二ギヤ７２、出力軸２２、第一ギヤ７１、第三ギヤ７３、第二部材７６、第二係合部材５３、スリーブ５４、ハブ５１、及び主軸２１を介して、モータジェネレータ２のロータ２ｂに伝達され、ロータ２ｂが回転する。
【００８４】
制御部１０は、インバータ５を制御することによって、モータジェネレータ２を発電機として機能させ、モータジェネレータ２で発電させて、モータジェネレータ２において回生制動力を発生させる。
【００８５】
制御部１０は、エンジン１に制御信号を出力することにより、エンジン１を停止させる。これにより、エンジン１における燃料の消費が停止される。また、制御部１０は、自動変速機３の各ソレノイドバルブに制御信号を出力することにより、自動変速機３をニュートラル状態とする。これにより、車両１０００の走行に伴い、自動変速機３内の各要素が回転されることに起因する機械的損失の発生や、トルクコンバータ４内においてオイルが撹拌されることに起因する機械的損失の発生や、エンジン１が回転されることによるフリクションロスの発生が防止される。このように、モード８では、モード２と比較して、エンジン１における燃料の消費、自動変速機３及びトルクコンバータ４内における機械的損失、及びエンジン１におけるフリクションロスの発生が防止され、車両１０００の燃費が向上する。
【００８６】
（本実施形態の効果）
以上の説明から明らかなように、自動変速機３は、エンジントルクＴｅが入力される入力軸３ａと、車両１０００の駆動輪１９Ｒ、１９Ｌに回転連結された出力ギヤ３ｂ（出力部材）とを有する。そして、切換機構５０は、モータジェネレータ２が、ポンプインペラ４ｂ（エンジントルク入力部材）に回転連結された第一連結状態と、モータジェネレータ２が駆動輪１９Ｒ、１９Ｌに回転連結された第二連結状態とのいずれかに切り換える。これにより、エンジン１の始動時に、切換機構５０によってモータジェネレータ２がポンプインペラ４ｂ（エンジントルク入力部材）に回転連結された第一連結状態にされることにより（モード１）、モータジェネレータ２によってエンジン１を始動させることができる。また、エンジン１の始動後の車両１０００の発進時には、エンジン１が出力するエンジントルクＴｅは、自動変速機３を介して駆動輪１９Ｒ、１９Ｌに伝達されるので、エンジン１の始動から、エンジン１による車両１０００の再発進に時間を要しない。
【００８７】
また、切換機構５０によって第二連結状態にされると、モータジェネレータ２は、自動変速機３を介さずに駆動輪１９Ｒ、１９Ｌに回転連結される。これにより、モータジェネレータ２が駆動輪１９Ｒ、１９Ｌを駆動する際（モード７）や、モータジェネレータ２が駆動輪１９Ｒ、１９Ｌから伝達された回転トルクによって発電する際（モード８）に、自動変速機３内のギヤが回転することよる機械的損失の発生を防止することができる。
【００８８】
遊星歯車機構４０（減速機構）は、第一部材７５に入力されたモータトルクＴｍ（回転トルク）を増幅したうえで第一スプロケット６１（第一連結部材）に伝達する。第一ワンウェイクラッチ３１は、第一部材７５に入力されたモータトルクＴｍ（回転トルク）の遊星歯車機構４０を介した第一スプロケット６１への伝達を許容する。また、第一ワンウェイクラッチ３１は、第一スプロケット６１に入力されたエンジントルクＴｅ（回転トルク）の遊星歯車機構４０を介した第一部材７５への伝達を許容しない。第二ワンウェイクラッチ３２は、第一スプロケット６１（第一連結部材）に入力されたエンジントルクＴｅ（回転トルク）を第一部材７５に伝達する。また、第二ワンウェイクラッチ３２は、第一部材７５に入力されたモータトルクＴｍ（回転トルク）を第一スプロケット６１（第一連結部材）に伝達しない。
【００８９】
これにより、モータジェネレータ２から出力されたモータトルクＴｍが第一部材７５に入力された場合には、第一ワンウェイクラッチ３１によって第一部材７５に入力されたモータトルクＴｍの遊星歯車機構４０を介した第一スプロケット６１への伝達が許容される。このため、モータトルクＴｍが、遊星歯車機構４０によって増幅されて第一スプロケット６１に伝達され、エンジン１のエンジン軸１ａに伝達される。よって、モータジェネレータ２から出力されたモータトルクＴｍが増幅されずにエンジン１のエンジン軸１ａに伝達される構造と比較して、エンジン１の始動時においてより小さいモータトルクＴｍでエンジン１を回転させることができる。この結果、モータジェネレータ２の小型化が可能となり、駆動装置１００の小型化が可能となる。
【００９０】
一方で、エンジン１から出力されたエンジントルクＴｅが第一スプロケット６１に入力された場合には、第一スプロケット６１に入力されたエンジントルクＴｅが、第二ワンウェイクラッチ３２によって第一部材７５に伝達され、モータジェネレータ２のロータ２ｂに伝達される。つまり、第一スプロケット６１の回転が遊星歯車機構４０によって増速されずにモータジェネレータ２のロータ２ｂに伝達される。このため、エンジントルクＴｅによってモータジェネレータ２が発電している際に、モータジェネレータ２のロータ２ｂの回転速度が過剰に速くならない。よって、ロータ２ｂの回転速度が過剰に速くなることに起因して、モータジェネレータ２において発電できなくなることや、モータジェネレータ２の発電効率の低下が防止される。
【００９１】
切換機構５０は、第一連結状態及び第二連結状態以外に、第一部材７５及び第二部材７６のいずれもが主軸２１に連結されていないニュートラル状態に切り換える（図８に示すモード６）。これにより、車両１０００が高速（例えば８０ｋｍ／ｈ以上）で走行して、モータジェネレータ２の回転速度が速くなり、モータジェネレータ２の効率が悪化する状況で、モータジェネレータ２のロータ２ｂを駆動輪１９Ｒ、１９Ｌ、エンジン１、及び自動変速機３から切り離すことがきできる。このため、モータジェネレータ２のロータ２ｂが速い回転速度で回転されることに起因するモータジェネレータ２の機械損、鉄損、及びコギングトルクによる損失の発生が防止される。よって、車両１０００の燃費が向上する。
【００９２】
第一スプロケット６１（第一連結部材）、第一部材７５、及び第二部材７６は、主軸２１と同軸に設けられている。これにより、第一スプロケット６１、第一部材７５、及び第二部材７６が主軸２１と並列に設けられている構造と比較して、駆動装置１００の軸線方向と直交する方向の寸法を小型化させることができる。
【００９３】
第一部材７５に入力された回転トルクを増幅したうえで第二スプロケットに伝達する減速機構は、遊星歯車機構４０である。そして、遊星歯車機構４０（減速機構）は、主軸２１と同軸に設けられている。これにより、上記減速機構が主軸２１と並列に設けられている構造と比較して、駆動装置１００の軸線方向と直交する方向の寸法を小型化させることができる。
【００９４】
第一スプロケット６１（第一連結部材）は、エンジン軸１ａやポンプインペラ４ｂ（エンジントルク入力部材）と並行に設けられている。そして、第二スプロケット６２（第二連結部材）は、エンジン軸１ａやポンプインペラ４ｂ（エンジントルク入力部材）と同軸に設けられ、エンジン軸１ａやポンプインペラ４ｂ（エンジントルク入力部材）に回転連結されている。そして、第一スプロケット６１（第一連結部材）は、チェーン６３（伝達部材）及び第二スプロケット６２（第二連結部材）を介して、エンジン軸１ａやポンプインペラ４ｂ（エンジントルク入力部材）に回転連結されている。これにより、モータジェネレータ２が連結された主軸２１を、エンジン軸１ａやポンプインペラ４ｂ（エンジントルク入力部材）と並列に配置させることができる。このため、モータジェネレータ２が連結された主軸２１がエンジン軸１ａやポンプインペラ４ｂ（エンジントルク入力部材）と同軸に設けられた構成と比較して、駆動装置１００の軸線方向の寸法を小型化させることができる。
【００９５】
自動変速機３にオイルを供給するオイルポンプ８０は、主軸２１と同軸に設けられている。そして、オイルポンプ８０のインナーロータ８３は、キャリア４３を介して、第一スプロケット６１（第一連結部材）に連結されている。これにより、オイルポンプ８０が、エンジン軸１ａと同軸に設けられている構成と比較して、駆動装置１００の軸線方向の寸法を小型化させることができる。
【００９６】
（別の実施形態）
上記の実施形態では、自動変速機３は複数の遊星歯車機構、及び複数の遊星歯車機構の動力伝達経路を切り換える複数の摩擦係合要素を備えている。しかし、自動変速機３が、ＣＶＴ（Continuously Variable Transmission）である駆動装置１００であっても差し支え無い。或いは、駆動装置１００が、トルクコンバータ４の変わりに自動クラッチを有し、自動変速機３がオートメイテッド・マニュアルトランスミッションである実施形態であっても差し支え無い。或いは、駆動装置１００が、トルクコンバータ４の代わりマニュアル式のクラッチを有し、自動変速機３の代わりにマニュアルトランスミッションを有する実施形態であっても差し支え無い。
【００９７】
上記の実施形態では、第一スプロケット６１（第一連結部材）と第二スプロケット６２（第二連結部材）は、チェーン６３（伝達部材）によって回転連結されている。しかし、第一スプロケット６１の代わりに第一ギヤ（第一連結部材）を設け、第二スプロケット６２の代わりに第二ギヤ（第二連結部材）を設け、チェーン６３（伝達部材）の代わりに第一ギヤ及び第二ギヤと噛み合う単一又は複数の伝達ギヤ（伝達部材）を設けた実施形態であっても差し支え無い。
【００９８】
（附記）
なお、ハイブリッド車両用駆動装置１００は、以下の構成をとることができる。
ハイブリッド車両用駆動装置１００は、
エンジン軸１ａを備え、エンジントルクＴｅをエンジン軸１ａに出力するエンジン２と、
エンジントルクＴｅがエンジン軸１ａを介して入力される入力軸３ａと、車両１０００の駆動輪１９Ｒ、１９Ｌに回転連結された出力ギヤ３ｂ（出力部材）とを有し、入力軸３ａの回転速度を出力ギヤ３ｂ（出力部材）の回転速度で除した減速比を可変に変更する自動変速機３（変速機）と、
自動変速機３と並列に設けられ、モータトルクＴｍを出力するとともに発電するモータジェネレータ２と、
モータジェネレータ２がエンジン軸１ａに回転連結された第一連結状態と、モータジェネレータ２が駆動輪１９Ｒ、１９Ｌに回転連結された第二連結状態とのいずれかに切り換える切換機構５０と、を有する。
【符号の説明】
【００９９】
２…モータジェネレータ、３…自動変速機（変速機）、３ａ…入力軸、３ｂ…出力ギヤ（出力部材）、４ｂ…ポンプインペラ（エンジントルク入力部材）、１９Ｒ、１９Ｌ…駆動輪、２１…主軸、３１…第一ワンウェイクラッチ、３２…第二ワンウェイクラッチ、４０…遊星歯車機構（減速機構）、５０…切換機構、６１…第一スプロケット（第一連結部材）、６２…第二スプロケット（第二連結部材）、６３…チェーン（伝達部材）、７５…第一部材（第一部材）、７６…第二部材（第二部材）、１００…ハイブリッド車両用駆動装置
【図１】
2016168973.tif 000003
【図２】
2016168973.tif 000004
【図３】
2016168973.tif 000005
【図４】
2016168973.tif 000006
【図５】
2016168973.tif 000007
【図６】
2016168973.tif 000008
【図７】
2016168973.tif 000009
【図８】
2016168973.tif 000010
【図９】
2016168973.tif 000011
【図１０】
2016168973.tif 000012